(57)【要約】【課題】移動体端末装置を用いた施設案内において、当該施設の希少度に応じた施設案内を行うための装置及びその方法を提供する。【解決手段】  所定エリア内に位置し、第１の属性が付与された施設を抽出し、該抽出の結果に基づいて、該所定エリア内における該抽出された施設の希少度を特定し、該特定された希少度に基づいて、所定の案内モード群から一の案内モードを選択し、該選択された案内モードに基づいて、該抽出された施設を案内する。【選択図】図１
2015045505.tif 000002
【特許請求の範囲】
【請求項１】
所定エリア内に位置し、第１の属性が付与された施設を抽出する施設抽出部と、
前記抽出の結果に基づいて、前記所定エリア内における前記抽出された施設の希少度を特定する希少度特定部と、
前記特定された希少度に基づいて、所定の案内モード群から一の案内モードを選択する案内モード選択部と、
前記選択された案内モードに基づいて、前記抽出された施設を案内する施設案内部と、
を備える、施設案内装置。
【請求項２】
前記案内モード群は、ノーマルモードと、ユーザの要求を反映した施設を案内するためのレコメンドモードとを含み、
前記案内モード選択部において前記レコメンドモードが選択されたとき、所定のルールに基づいて前記ユーザの要求情報を特定する要求情報特定部、を備え、
前記レコメンドモードが選択されたとき、前記施設案内部は、前記特定された要求情報と、前記抽出された施設に付与された属性であって前記特定された要求情報に関連する第２の属性とに基づき、前記抽出された施設を案内する、
請求項１に記載の施設案内装置。
【請求項３】
前記施設案内部は、前記特定された要求情報に対応する前記第２の属性が付与された施設が存在しないとき、前記レコメンドモードを解除する、請求項２に記載の施設案内装置。
【請求項４】
ナビゲーション装置によって経路が特定されているとき、前記所定エリアは前記経路上所定距離内の範囲である、請求項１〜３のいずれか一項に記載の施設案内装置。
【請求項５】
前記希少度特定部は、前記抽出された施設の数と所定閾値とを比較して前記希少度を特定する、請求項１〜４のいずれか一項に記載の施設案内装置。
【請求項６】
前記施設案内部は、前記特定された要求情報に対応する前記第２の属性が付与された施設を案内する、請求項２〜５のいずれか一項に記載の施設案内装置。
【請求項７】
施設抽出部が、所定エリア内に位置し、第１の属性が付与された施設を抽出する施設抽出ステップと、
希少度特定部が、前記抽出の結果に基づいて、前記所定エリア内における前記抽出された施設の希少度を特定する希少度特定ステップと、
案内モード選択部が、前記特定された希少度に基づいて、所定の案内モード群から一の案内モードを選択する案内モード選択ステップと、
施設案内部が、前記選択された案内モードに基づいて、前記抽出された施設を案内する施設案内ステップと、
を備える、施設案内方法。
【請求項８】
前記案内モード群は、ノーマルモードと、ユーザの要求を反映した施設を案内するためのレコメンドモードとを含み、
前記案内モード選択ステップにおいて前記レコメンドモードが選択されたとき、要求情報特定部が、所定のルールに基づいて前記ユーザの要求情報を特定する要求情報特定ステップ、を備え、
前記レコメンドモードが選択されたとき、前記施設案内ステップでは、前記特定された要求情報と、前記抽出された施設に付与された属性であって前記特定された要求情報に関連する第２の属性とに基づき、前記抽出された施設を案内する、
請求項７に記載の施設案内方法。
【請求項９】
前記施設案内ステップでは、前記特定された要求情報に対応する前記第２の属性が付与された施設が存在しないとき、前記レコメンドモードを解除する、請求項８に記載の施設案内方法。
【請求項１０】
ナビゲーション装置によって経路が特定されているとき、前記所定エリアは前記経路上所定距離内の範囲である、請求項７〜９のいずれか一項に記載の施設案内方法。
【請求項１１】
前記希少度特定ステップでは、前記抽出された施設の数と所定閾値とを比較して前記希少度を特定する、請求項７〜１０のいずれか一項に記載の施設案内方法。
【請求項１２】
前記施設案内ステップでは、前記特定された要求情報に対応する前記第２の属性が付与された施設を案内する、請求項８〜１１のいずれか一項に記載の施設案内方法。
【請求項１３】
施設を案内するためのコンピュータプログラムであって、コンピュータを、
所定エリア内に位置し、第１の属性が付与された施設を抽出する施設抽出手段と、
前記抽出の結果に基づいて、前記所定エリア内における前記抽出された施設の希少度を特定する希少度特定手段と、
前記特定された希少度に基づいて、所定の案内モード群から一の案内モードを選択する案内モード選択手段と、
前記選択された案内モードに基づいて、前記抽出された施設を案内する施設案内手段、
として機能させる、コンピュータプログラム。
【請求項１４】
前記案内モード群は、ノーマルモードと、ユーザの要求を反映した施設を案内するためのレコメンドモードとを含み、
前記コンピュータを、更に、
前記案内モード選択手段において前記レコメンドモードが選択されたとき、所定のルールに基づいて前記ユーザの要求情報を特定する要求情報特定手段、として機能させ、
前記レコメンドモードが選択されたとき、前記施設案内手段は、前記特定された要求情報と、前記抽出された施設に付与された属性であって前記特定された要求情報に関連する第２の属性とに基づき、前記抽出された施設を案内する、
請求項１３に記載のコンピュータプログラム。
【請求項１５】
前記施設案内手段は、前記特定された要求情報に対応する前記第２の属性が付与された施設が存在しないとき、前記レコメンドモードを解除する、請求項１４に記載のコンピュータプログラム。
【請求項１６】
ナビゲーション装置によって経路が特定されているとき、前記所定エリアは前記経路上所定距離内の範囲である、請求項１３〜１５のいずれか一項に記載のコンピュータプログラム。
【請求項１７】
前記希少度特定手段は、前記抽出された施設の数と所定閾値とを比較して前記希少度を特定する、請求項１３〜１６のいずれか一項に記載のコンピュータプログラム。
【請求項１８】
前記施設案内手段は、前記特定された要求情報に対応する前記第２の属性が付与された施設を案内する、請求項１４〜１７のいずれか一項に記載のコンピュータプログラム。
【請求項１９】
請求項１３〜１８のいずれか一項に記載のコンピュータプログラムを記録する記録媒体。
【発明の詳細な説明】
【技術分野】
【０００１】
本発明は、移動体端末装置を用いた施設案内において、当該施設の希少度に応じた施設案内を行う装置及びその方法に関する。
【背景技術】
【０００２】
近年、移動体端末装置を用いた地図表示等による施設案内が一般に普及している。例えば、カーナビゲーション装置の地図表示において、コンビニエンスストアやビル等の施設の名称やロゴマークを表示することにより施設案内を行っている。
ここに、市街地等施設が密に存在する場合には、地図表示においてロゴマーク等が密に表示されたり、ロゴマーク等同士が重なってしまうこととなるため、ユーザにとって見難い表示となる。そのため従来では、ロゴマーク等同士の重なりや間隔等を考慮しつつ、予め定められた表示優先順位や表示縮尺に応じて適度にロゴマーク等を間引くことで、地図表示を見易いものとしている。
本発明に関連する従来技術を開示する特許文献１又は２も参照されたい。
【先行技術文献】
【特許文献】
【０００３】
【特許文献１】特開２０１１−０２２７５６号公報
【特許文献２】特開２００７−１３２６８０号公報
【発明の概要】
【発明が解決しようとする課題】
【０００４】
上記従来技術によれば、適度にロゴマーク等を間引くため地図表示自体は見易くなり、ユーザにとって分かり易い施設案内を行うことができる。しかしながら、間引く対象とするに適さないロゴマーク等を間引く場合もある。例えば、地図表示範囲内にコンビニエンスストアが多数存在する場合には、当該コンビニエンスストアのいくつかについてその表示を間引いても、コンビニエンスストアを利用しようとする端末ユーザの利便を害するおそれはない。一方、上記地図表示範囲内のコンビニエンスストアが少数である場合に、そのいくつかを非表示とすることは上記端末ユーザの利便を損なう可能性がある。
そこで、本発明者らは、上記ユーザの利便を損なうことなく、分かり易い施設案内を実現すべく鋭意検討を重ねてきた。その結果、施設案内をするに際し、所定エリア内に存在する特定の属性が付与された施設について当該施設の希少度を特定し、該特定された希少度に基づいて施設案内を行うことにより、上記課題を解決できることに想到した。
【課題を解決するための手段】
【０００５】
この発明は上述の課題に鑑みてなされたものであり、その第１の局面は次のように規定される。即ち、
所定エリア内に位置し、第１の属性が付与された施設を抽出する施設抽出部と、
前記抽出の結果に基づいて、前記所定エリア内における前記抽出された施設の希少度を特定する希少度特定部と、
前記特定された希少度に基づいて、所定の案内モード群から一の案内モードを選択する案内モード選択部と、
前記選択された案内モードに基づいて、前記抽出された施設を案内する施設案内部と、
を備える、施設案内装置。
【０００６】
このように規定される第１の局面の施設案内装置によれば、所定エリア内に位置する第１の属性が付与された施設の該所定エリアにおける希少度を特定し、該特定された希少度に基づいて選択される案内モードで上記施設を案内する。このように、上記施設の希少度を考慮して案内モードを選択すれば、例えば、希少度の高い属性が付与された施設を間引きの対象から除外する等、上記端末ユーザの利便に沿うよう種々のモードで案内することが可能となる。
ここで、上記所定エリアとしては、例えば、上記端末装置の現在位置に基づき端末進行方向へ所定距離内の範囲とすることとできる。特に、ナビゲーション装置によって経路が特定されているときには、前記経路上所定距離内の範囲とすることとできる（第４の局面）。
【０００７】
第１の属性とは、例えば、施設の業種を表す業種属性や、施設の設備を示す設備属性等をいう。当該業種属性としては、例えば、コンビニエンスストア、ガソリンスタンド、飲食店等が挙げられる。また、飲食店のうち牛丼屋、ラーメン屋、カフェ等下位の属性を業種属性としても良い。また、設備属性としては、例えば、トイレの有無、クレジットカード使用の可否、使用可能な電子マネーの種類等が挙げられる。
希少度とは、上記所定エリア内における第１の属性が付与された施設の少なさを示す指標であり、該当する施設が少ないほど希少度は高くなる。当該希少度は、前記抽出された施設の数と所定閾値とを比較して特定することとできる（第５の局面）。当該希少度を特定する他の方法として、上記所定エリア内に位置する全施設の数における上記施設抽出部で抽出された施設の数の占める割合に基づいて特定することとしても良い。
案内モードとは、例えば、定法により施設を案内するノーマルモード、希少度の高い施設をより良く案内する希少モード、ユーザの要求を反映した施設を案内するためのレコメンドモード、その他のモードをいう。また、案内モード群とは当該モードの集まりをいう。
【０００８】
この発明の第２の局面は次のように規定される。即ち、
第１の局面に規定の施設案内装置において、前記案内モード群は、ノーマルモードと、ユーザの要求を反映した施設を案内するためのレコメンドモードとを含み、
前記案内モード選択部において前記レコメンドモードが選択されたとき、所定のルールに基づいて前記ユーザの要求情報を特定する要求情報特定部、を備え、
前記レコメンドモードが選択されたとき、前記施設案内部は、前記特定された要求情報と、前記抽出された施設に付与された属性であって前記特定された要求情報に関連する第２の属性とに基づき、前記抽出された施設を案内する。
【０００９】
このように規定される第２の局面の施設案内装置によれば、上記案内モードの選択に際し、上記端末ユーザの要求情報を考慮することができる。したがって、上記ユーザの要求により良く沿った案内が可能となる。
要求情報とは、上記施設案内を行う際の上記端末ユーザの好みや必要としている設備等の要求を表す情報である。前者の例として、「コンビニエンスストア」に対して「セブンイレブン（登録商標）」等が挙げられ、後者の例として、「飲食店」に対して「クレジットカード利用可」等が挙げられる。当該要求情報は、上記端末ユーザの入力操作により特定されても良いし、当該端末ユーザの過去の移動履歴等に基づき自動で特定されても良い。
【００１０】
第２の属性とは、上記第１の属性と異なる属性であり、例えば、上記第１の属性の下位の属性であっても良く、また別の属性であっても良い。前者について、例えば、第１の属性「コンビニエンスストア」には、「セブンイレブン（登録商標）」、「サークルＫ（登録商標）」、「ファミリーマート（登録商標）」等、数々のチェーン店舗があり、ユーザが特定のチェーン店舗を好んで利用することも多い。また、「ガソリンスタンド」、「飲食店」、「カフェ」等についても同様である。そこで例として、第１の属性「コンビニエンスストア」に対して第２の属性「セブンイレブン（登録商標）」、「サークルＫ（登録商標）」等、第１の属性「カフェ」に対して第２の属性「スターバックス（登録商標）」、「ドトール（登録商標）」等、を挙げることができる。後者について、例えば、第１の属性「飲食店」には、「クレジットカードが使用できる店舗」、「特定の電子マネーが使用できる店舗」、「授乳室完備の店舗」、「おむつ台完備の店舗」、「ペット同伴可能な店舗」等、種々の設備を備えた店舗があり、ユーザは自己の要求に応じた店舗を利用することが多い。そこで例として、第１の属性「飲食店」に対して、第２の属性「クレジットカード利用可」、「ｎａｎａｃｏ（登録商標）利用可」、「授乳室完備」、「ペット同伴可」等、を挙げることができる。
【００１１】
ここで、上記施設案内部は、前記特定された要求情報に対応する前記第２の属性が付与された施設が存在しないとき、前記レコメンドモードを解除することとできる（第３の局面）。例えば、上記ユーザの要求情報が「セブンイレブン（登録商標）」である場合に、第２の属性として「セブンイレブン（登録商標）」が付与された施設（コンビニエンスストア）が存在しない場合、レコメンドモードを維持するとコンビニエンスストアに関する案内が行われないことになる。したがって、この場合には、レコメンドモードを解除して、他のコンビニエンスストアに関する案内を行うことで、コンビニエンスストアを利用したい上記端末ユーザの利便性を確保することができる。
また、上記施設案内部は、上記案内に関し、前記特定された要求情報に対応する前記第２の属性が付与された施設を案内することとできる（第６の局面）。
上記希少度特定部は、前記抽出された施設の数と所定閾値とを比較して前記希少度を特定することとできる（第５の局面）。
【００１２】
また、この発明の第７の局面は次のように規定される。即ち、
施設抽出部が、所定エリア内に位置し、第１の属性が付与された施設を抽出する施設抽出ステップと、
希少度特定部が、前記抽出の結果に基づいて、前記所定エリア内における前記抽出された施設の希少度を特定する希少度特定ステップと、
案内モード選択部が、前記特定された希少度に基づいて、所定の案内モード群から一の案内モードを選択する案内モード選択ステップと、
施設案内部が、前記選択された案内モードに基づいて、前記抽出された施設を案内する施設案内ステップと、
を備える、施設案内方法。
このように規定される第７の局面の発明によれば、第１の局面と同等の効果を奏する。
【００１３】
この発明の第８の局面は次のように規定される。即ち、
第７の局面に規定の方法において、前記案内モード群は、ノーマルモードと、ユーザの要求を反映した施設を案内するためのレコメンドモードとを含み、
前記案内モード選択ステップにおいて前記レコメンドモードが選択されたとき、要求情報特定部が、所定のルールに基づいて前記ユーザの要求情報を特定する要求情報特定ステップ、を備え、
前記レコメンドモードが選択されたとき、前記施設案内ステップでは、前記特定された要求情報と、前記抽出された施設に付与された属性であって前記特定された要求情報に関連する第２の属性とに基づき、前記抽出された施設を案内する。
このように規定される第８の局面の発明によれば、第２の局面と同等の効果を奏する。
【００１４】
この発明の第９の局面は次のように規定される。即ち、
第８の局面に規定の方法において、前記施設案内ステップでは、前記特定された要求情報に対応する前記第２の属性が付与された施設が存在しないとき、前記レコメンドモードを解除する。
このように規定される第９の局面の発明によれば、第３の局面と同等の効果を奏する。
【００１５】
この発明の第１０の局面は次のように規定される。即ち、
第７〜第９のいずれかの局面に規定の方法において、ナビゲーション装置によって経路が特定されているとき、前記所定エリアは前記経路上所定距離内の範囲である。
このように規定される第１０の局面の発明によれば、第４の局面と同等の効果を奏する。
【００１６】
この発明の第１１の局面は次のように規定される。即ち、
第７〜第１０のいずれかの局面に規定の方法において、前記希少度特定ステップでは、前記抽出された施設の数と所定閾値とを比較して前記希少度を特定する。
このように規定される第１１の局面の発明によれば、第５の局面と同等の効果を奏する。
【００１７】
この発明の第１２の局面は次のように規定される。即ち、
第８〜第１１のいずれかの局面に規定の方法において、前記施設案内ステップでは、前記特定された要求情報に対応する前記第２の属性が付与された施設を案内する。
このように規定される第１２の局面の発明によれば、第６の局面と同等の効果を奏する。
【００１８】
更に、この発明の第１３の局面は次のように規定される。即ち、
施設を案内するためのコンピュータプログラムであって、コンピュータを、
所定エリア内に位置し、第１の属性が付与された施設を抽出する施設抽出手段と、
前記抽出の結果に基づいて、前記所定エリア内における前記抽出された施設の希少度を特定する希少度特定手段と、
前記特定された希少度に基づいて、所定の案内モード群から一の案内モードを選択する案内モード選択手段と、
前記選択された案内モードに基づいて、前記抽出された施設を案内する施設案内手段、
として機能させる、コンピュータプログラム。
このように規定される第１３の局面の発明によれば、第１の局面と同等の効果を奏する。
【００１９】
この発明の第１４の局面は次のように規定される。即ち、
第１３の局面に規定のコンピュータプログラムにおいて、前記案内モード群は、ノーマルモードと、ユーザの要求を反映した施設を案内するためのレコメンドモードとを含み、
前記コンピュータを、更に、
前記案内モード選択手段において前記レコメンドモードが選択されたとき、所定のルールに基づいて前記ユーザの要求情報を特定する要求情報特定手段、として機能させ、
前記レコメンドモードが選択されたとき、前記施設案内手段は、前記特定された要求情報と、前記抽出された施設に付与された属性であって前記特定された要求情報に関連する第２の属性とに基づき、前記抽出された施設を案内する。
このように規定される第１４の局面の発明によれば、第２の局面と同等の効果を奏する。
【００２０】
この発明の第１５の局面は次のように規定される。即ち、
第１４の局面に規定のコンピュータプログラムにおいて、前記施設案内手段は、前記特定された要求情報に対応する前記第２の属性が付与された施設が存在しないとき、前記レコメンドモードを解除する。
このように規定される第１５の局面の発明によれば、第３の局面と同等の効果を奏する。
【００２１】
この発明の第１６の局面は次のように規定される。即ち、
第１３〜第１５のいずれかの局面に規定のコンピュータプログラムにおいて、ナビゲーション装置によって経路が特定されているとき、前記所定エリアは前記経路上所定距離内の範囲である。
このように規定される第１６の局面の発明によれば、第４の局面と同等の効果を奏する。
【００２２】
この発明の第１７の局面は次のように規定される。即ち、
第１３〜第１６のいずれかの局面に規定のコンピュータプログラムにおいて、前記希少度特定手段は、前記抽出された施設の数と所定閾値とを比較して前記希少度を特定する。
このように規定される第１７の局面の発明によれば、第５の局面と同等の効果を奏する。
【００２３】
この発明の第１８の局面は次のように規定される。即ち、
第１４〜第１７のいずれかの局面に規定のコンピュータプログラムにおいて、前記施設案内手段は、前記特定された要求情報に対応する前記第２の属性が付与された施設を案内する。
このように規定される第１８の局面の発明によれば、第６の局面と同等の効果を奏する。
【００２４】
請求項１３〜１８のいずれか一項に記載のコンピュータプログラムを記録する記録媒体。
【図面の簡単な説明】
【００２５】
【図１】図１は、本発明の実施の形態の施設案内装置１の構成を示すブロック図である。
【図２】図２は、本発明の実施の形態の施設案内装置１の動作の一例を示すフローチャートである。
【図３】図３は、本発明の他の実施の形態の施設案内装置２１の構成を示すブロック図である。
【図４】図４は、本発明の実施の形態の施設案内装置２１の動作の一例を示すフローチャートである。
【図５】図５は、本発明の実施例のナビゲーション装置５１の構成を示すブロック図である。
【発明を実施するための形態】
【００２６】
この発明の実施の形態の施設案内装置を説明する。
図１に、施設案内装置１の概略構成を示す。
図１に示すように、この施設案内装置１は、施設情報保存部３、現在位置特定部４、施設抽出部５、希少度特定部７、案内モード選択部９及び施設案内部１１を備えている。
【００２７】
施設情報保存部３には、施設の施設情報が保存される。当該施設としては、特に限定されず、コンビニエンスストア、ガソリンスタンド、レストランやカフェ等の飲食店等が挙げられる。また、施設の施設情報としては、例えば、施設名称、施設の位置情報、施設の属性が挙げられる。他の施設情報として、施設のＩＤ、施設における平均予算、電話番号、営業時間、駐車場の有無等が挙げられる。上記施設の属性としては、例えば、業種、チェーン店舗種類、設備等に関する属性が挙げられる。当該業種に関する属性としては、コンビニエンスストア、ガソリンスタンド、飲食店等が挙げられる。また、飲食店の場合、さらに、レストラン、カフェ、牛丼屋、ラーメン屋等の業種属性が付与されていても良い。上記チェーン店舗種類に関する属性としては、コンビニエンスストアであれば、「セブンイレブン（登録商標）」、「サークルＫ（登録商標）」、「ファミリーマート（登録商標）」等、ガソリンスタンドであれば、「ＥＮＥＯＳ（登録商標）」、「昭和シェル石油（登録商標）」等、カフェであれば、「スターバックス（登録商標）」、「ドトール（登録商標）」等が挙げられる。上記設備に関する属性としては、「クレジットカード利用可」、「電子マネー利用可」、「ＡＴＭ有」、「トイレ有」、「授乳室完備」、「ペット同伴可」等が挙げられる。「クレジットカード利用可」や「電子マネー利用可」について、さらに、利用可能なクレジットカードや電子マネーの種別が設備属性として付与されていても良い。上記施設に関連付けられる属性は、一であっても良く、二以上関連付けられていても良い。
【００２８】
現在位置特定部４は、ＧＰＳ装置やジャイロ装置により装置１が組み込まれた端末装置の現在の位置情報を特定する。併せて、現在時刻を特定することもできる。
施設抽出部５は、上記現在位置特定部４で特定された現在位置を参照し、当該現在位置に基づいて形成される所定エリア内に位置情報を有する施設であって、第１の属性が付与された施設を上記施設情報保存部３から抽出する。当該第１の属性は、上記施設情報保存部３内の施設に関連付けられた属性であれば良く、予め定められた一又は複数の属性を第１の属性とする等任意に定めることとできる。例えば、当該第１の属性を、「コンビニエンスストア」、「ガソリンスタンド」、「飲食店」、「カフェ」等と定めておくこととできる。この例において、上記所定エリアは、上記現在位置を含む直径５ｋｍの円であって、当該端末装置の進行方向側半円で形成されるエリアＡとする。同じくこの例において、上記第１の属性はガソリンスタンドとする。すなわち、この例において、施設抽出部５は、エリアＡに位置情報を有するガソリンスタンド２件を抽出したこととする。
【００２９】
希少度特定部７は、上記施設抽出部５の抽出結果に基づいて、エリアＡ内に位置する施設の希少度を特定する。当該特定の方法として、例えば、当該抽出された施設の件数を第１の閾値と比較し、当該第１の閾値以上であるとき希少度が低いと特定し、当該第１の閾値未満であるとき希少度が高いと特定することとできる。上記第１の閾値は、第１の属性の種類に対応して適宜設定することとできる。この例において、希少度特定部７は、上記エリアＡ内に位置するガソリンスタンドの件数（２件）を第１の閾値としての５件と比較し、希少度が高いと特定する。
案内モード選択部９は、上記希少度特定部７で特定された希少度に基づいて、所定の案内モード群から一の案内モードを選択する。この例において、所定の案内モード群として、上記ノーマルモードと上記希少度の高い施設をより良く案内する希少モードとを備えている。そして、上記希少度特定部７で希少度が高いと特定されたことにより、上記案内モード選択部９は上記希少モードを選択する。
【００３０】
施設案内部１１は、上記案内モード選択部９で選択された案内モードに基づいて、上記施設抽出部５で抽出された施設を案内する。当該案内の方法として、例えば、地図表示画面に表示したり、音声によって案内する方法等が挙げられる。当該地図表示画面に表示する場合、所定のアイコンを表示しても良いし、併せて施設に関するお得情報やクーポン等の広告を表示等することとしても良い。この例において、上記案内モード選択部９が希少モードを選択すると、エリアＡ内におけるガソリンスタンドは希少な施設であるとして全２件を地図表示画面上に表示する。
上記の例において、エリアＡ内に位置するガソリンスタンドが５件抽出された場合には、希少度特定部７は希少度が低いと特定し、案内モード選択部９ではノーマルモードが選択される。当該ノーマルモードが選択されると、上記ガソリンスタンド５件はノーマルモードで表示される。すなわち、当該ガソリンスタンドのうち他の表示と近接する表示や重なる表示は、定法により間引きの対象として適宜間引き表示される。
【００３１】
図２を用いて、図１に示す施設案内装置１の動作の一例を説明する。
ステップ１では、現在位置特定部４は、端末装置の現在位置を特定する。
ステップ３では、施設抽出部５は、上記ステップ１で特定された現在位置に基づき、上記エリアＡを形成する。
ステップ５では、施設抽出部５は、上記施設情報保存部３から、ステップ３で形成されたエリアＡ内に位置情報を有する施設であって、第１の属性が付与された施設を抽出する。
ステップ７では、希少度特定部７は、ステップ５で抽出された施設件数と第１の閾値とに基づいて希少度を特定する。すなわち、ステップ５で抽出された施設件数が第１の閾値未満であるとき（ステップ９：Ｎｏ）、希少度が高いと特定し、ステップ１１へ進む。
【００３２】
ステップ１１では、案内モード選択部９は希少モードを選択する。
ステップ１３では、施設案内部１１は、ステップ５で抽出された施設をステップ１１で選択された希少モードで表示する。すなわち、ステップ５で抽出された施設の全件を表示する。
一方、ステップ９においてＹｅｓの場合、希少度が低いと特定し、ステップ１５へ進む。
ステップ１５では、案内モード選択部９はノーマルモードを選択する。
ステップ１７では、ステップ５で抽出された施設をステップ１５で選択されたノーマルモードで表示する。すなわち、ステップ５で抽出された施設のうち間引き表示の対象施設があるときは間引いて表示し、間引き表示の対象でない場合にはそのまま表示する。
【００３３】
図３に、他の実施の形態の施設案内装置２１を示す。図３において、図１と同一の要素には同一の符号を付して、その説明を部分的に省略する。
図３に示すのは、上記希少度の低い施設を表示するに際して、端末ユーザの要求情報を考慮して該施設を案内可能な施設案内装置２１である。すなわち、当該装置２１は、図１に示す装置１において、ユーザ情報保存部２３及び要求情報特定部２５を更に備え、案内モード選択部９及び施設案内部１１に代えて、夫々案内モード選択部２７及び施設案内部２９を備える。
【００３４】
ユーザ情報保存部２３には、端末ユーザの施設に対する好みや必要とする設備等に関する要求情報が上記第１の属性に関連付けて保存されている。例えば、施設に対する好みとして、第１の属性「コンビニエンスストア」に対して「セブンイレブン（登録商標）」、第１の属性「カフェ」に対して「スターバックス（登録商標）」等が保存されている。また、必要とする設備として、「ｎａｎａｃｏ（登録商標）利用可」、「授乳室完備」等が上記第１の属性に関連付けて夫々保存されている。当該第１の属性に関連付けられる要求情報の数は特に限定されず、一であっても良く、二以上であっても良い。後者について、二以上の要求情報が関連付けられている場合には、当該要求情報に優先順位を付与しておくこととできる。当該優先順位は予め設定されるものであっても良く、端末ユーザの過去履歴等に基づいて自動的に設定されるものであっても良く、また、これらの設定によって更新されるものであっても良い。当該優先順位は、後述の要求情報特定部２５において利用することとできる。これらのユーザ情報は、端末ユーザの入力により保存される情報であっても良く、端末ユーザの過去の移動履歴等により自動的に特定され保存されるものであっても良い。
案内モード選択部２７は、上記案内モード選択部９と同様、上記希少度特定部７で特定された希少度に基づいて、所定の案内モード群から一の案内モードを選択する。この例において、所定の案内モード群として、上記ノーマルモードと上記ユーザの要求を反映した施設を案内するためのレコメンドモードとを備えている。そして、上記希少度特定部７において、上記施設抽出部５で抽出された施設が希少であると特定された場合にはノーマルモードが、希少でないと特定された場合にはレコメンドモードが選択される。
【００３５】
要求情報特定部２５は、上記案内モード選択部２７において上記レコメンドモードが選択されたとき、所定のルールに基づいて上記ユーザの要求情報を特定する。上記ユーザの要求情報を特定する際のルールとしては、自動であっても良く、手動によるものであっても良い。前者の場合、例えば、施設抽出部５及びユーザ情報保存部２３を参照して、上記施設抽出部５で用いられた第１の属性に関連する上記ユーザの要求情報を特定することとできる。例えば、施設抽出部５で施設抽出の対象となった第１の属性「コンビニエンスストア」を参照して、上記ユーザ情報保存部２３内の第１の属性「コンビニエンスストア」に関連付けられた「セブンイレブン（登録商標）」を要求情報と特定する。ここで、上記ユーザ情報保存部２３内の第１の属性「コンビニエンスストア」に複数の要求情報が関連付けられている場合、要求情報特定部２５は、上述した優先順位に基づき高順位が付与された要求情報を特定することとできる。後者の例として、後述の入力部により、手動で入力された情報をもって要求情報を特定することとできる。
【００３６】
施設案内部２９は、上記施設案内部１１と同様、上記案内モード選択部２７で選択された案内モードに基づいて、上記施設抽出部５で抽出された施設を案内する。特に当該施設案内部２９は、上記案内モード選択部２７においてレコメンドモードが選択されたとき、上記要求情報特定部２５で特定された要求情報と、上記施設抽出部５で抽出された施設に付与された属性であって当該特定された要求情報に対応する第２の属性とに基づき、上記抽出された施設を案内する。例えば、上記第１の属性「コンビニエンスストア」が付与された施設が抽出された場合、当該抽出された施設のうち、上記要求情報としての「セブンイレブン（登録商標）」が属性として付与されている施設を案内する。すなわち、上記抽出された施設（コンビニエンスストア）であっても、「サークルＫ（登録商標）」や「ファミリーマート（登録商標）」等は案内の対象から除外する。
【００３７】
図４を用いて、図３に示す施設案内装置２１の動作の一例を説明する。図４において、図２と同一のステップには同一の符号を付して、その説明を部分的に省略する。
この例において、ステップ５では、施設抽出部５は、上記施設情報保存部３から、ステップ３で形成されたエリアＡ内に位置情報を有する施設であって、第１の属性「コンビニエンスストア」が付与された施設を抽出する。当該ステップ５において、該当する施設１２件を抽出したとする。
ステップ２１では、希少度特定部７は、ステップ５で抽出された施設件数と第２の閾値とに基づいて希少度を特定する。すなわち、ステップ５で抽出された施設件数が第２の閾値以上であるとき（ステップ２３：Ｙｅｓ）、希少度が低いと特定し、ステップ２５へ進む。この例において、ステップ２１では、ステップ５で抽出された施設件数１２件は、第２の閾値としての１０件以上であるため希少度が低いと特定される。
【００３８】
ステップ２５では、案内モード選択部２７はレコメンドモードを選択する。
ステップ２７では、要求情報特定部２５は、上記端末ユーザの要求情報を特定する。この例において、ステップ２７では、上記ユーザ情報保存部２３を参照し、ステップ５で施設抽出の対象となった第１の属性「コンビニエンスストア」に対する好みとして「セブンイレブン（登録商標）」が特定される。
ステップ２９では、施設案内部２９は、ステップ５で抽出された施設（コンビニエンスストア）のうち、ステップ２７で特定された要求情報に対応する第２の属性が付与された施設を表示する。この例において、ステップ５で抽出された施設のうち、第２の属性として「セブンイレブン（登録商標）」が付与された施設のアイコン等を地図表示画面に表示する。
別の例として、上記ステップ２９において、ステップ５で抽出された施設のうち、ユーザの要求情報に対応する施設が存在しないとき、すなわち「セブンイレブン（登録商標）」が存在しないとき、上記レコメンドモードを解除して、ステップ５で抽出された施設を表示することとしても良い。
【００３９】
図５に、実施例のナビゲーション装置５１を示す。図５において、図１及び図３と同一の要素には同一の符号を付して、その説明を部分的に省略する。
図５に示すのは、図３に示す装置２１を備えたナビゲーション装置５１である。このナビゲーション装置５１は、制御部５１０、メモリ部５１１、入力部５１２、出力部５１３、インターフェース部５１４、現在位置特定部４、経路探索部５１５、施設情報保存部３、ユーザ情報保存部２３、施設抽出部５１６、希少度特定部７、案内モード選択部２７、要求情報特定部２５及び施設案内部２９を備えている。
【００４０】
制御部５１０はＣＰＵ、バッファメモリその他の装置を備えたコンピュータ装置であり、ナビゲーション装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、ナビゲーション装置の記憶装置としての内蔵ハードディスク又は内蔵メモリ、ナビゲーション装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
入力部５１２は、例えば、ユーザの指令の入力に用いられる。具体的には、ユーザ情報保存部２３に保存するための施設に対する好みや必要とする設備等に関する情報等の入力に用いられる。他の例として、要求情報特定部２５で特定される要求情報を手動で入力する際に用いられる。入力部５１２として、ディスプレイの表示内容と協働するタッチパネル、ライトペン又はマウス等のポインティングデバイスやキーボード又はマイクロホン等の音声入力装置を用いることとできる。
【００４１】
出力部５１３はディスプレイを含み、上記施設案内部２９において案内対象となった施設のアイコンや広告を出力する。他にも、一般的なナビゲーション装置において出力される目的地検索のための検索画面、地図、その他の情報を表示する。この出力部５１３は音声発信部を含むこともできる。
インターフェース部５１４はナビゲーション装置５１を無線ネットワーク等へ連結させる。
経路探索部５１５は、出発地あるいは現在位置から目的地までの経路を探索する。当該経路探索の方法は一般的な方法を用いることとできる。
施設抽出部５１６は、上記現在位置特定部４で特定された現在位置と上記経路探索部５１５で探索された案内経路とに基づいて、所定エリアを形成し、当該エリア内に位置情報を有する施設であって、第１の属性が付与された施設を上記施設情報保存部３から抽出する。当該所定エリアは、例えば、上記案内経路進行方向へ３ｋｍであって、当該案内経路を含む幅１ｋｍから形成される帯状の範囲とすることとできる。
【００４２】
上記ナビゲーション装置５１における他の例として、現在位置に基づき特定される施設の希少度と、案内経路の所定距離前方（例えば、３０ｋｍ先）を仮の現在位置として特定される施設の希少度とを考慮して、現在の案内モードを選択することもできる。例えば、現在位置に基づき特定される施設の希少度は高い（ノーマルモード）が、仮の現在位置においては施設の希少度が低い（レコメンドモード）場合、現在の案内モードをレコメンドモードとして、端末ユーザの要求情報を反映させた案内をすることとできる。所定距離進行することで、端末ユーザの要求情報に合致した施設が存在する場合には、当該施設を案内することが端末ユーザの利便に供するからである。
【００４３】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４４】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４５】
１  ２１  施設案内装置
３  施設情報保存部
４  現在位置特定部
５  施設抽出部
７  希少度特定部
９  ２７  案内モード選択部
１１  ２９  施設案内部
２３  ユーザ情報保存部
２５  要求情報特定部
【図１】
2015045505.tif 000003
【図２】
2015045505.tif 000004
【図３】
2015045505.tif 000005
【図４】
2015045505.tif 000006
【図５】
2015045505.tif 000007